(57)【要約】  角材１，１１，２１，３１の四つの表面に係合用凹凸部２，１２，２２，３２，３，１３，２３，３３を角材１，１１，２１，３１の長手方向に交互に配置して設けてあり、係合用凸部３，１３，２３，３３の何れか一方の壁４，１４，２４，３４に係止凹溝５，１５，２５，３５と係止凸条６，１６，２６，３６を設け、上記多数の角材１，１１，２１，３１を用意し、複数の上記角材１，１１，２１，３１を前後及び／又は左右に平行に並べて互いに隣れる角材１，１１，２１，３１の係合用凹部２，１２，２２，３２と係合用凸部３，１３，２３，３３とを嵌め合い、隣れる係合用凸部３，１３，２３，３３の係止凸条６，１６，２６，３６を隣れる角材１，１１，２１，３１の対応する係合用凸部３，１３，２３，３３の係止凹溝５，１５，２５，３５に係合し、この係合を楔４１を用いて楔作用により結合してある。【特許請求の範囲】
【請求項１】
角材の四つの表面に係合用凹凸部を角材の長手方向に交互に配置して設けてあり、係合用凸部の何れか一方の壁に係止凹溝と係止凸条を設け、
上記多数の角材を用意し、
複数の上記角材を前後及び／又は左右に並べて互いに隣れる角材の係合用凹部と係合用凸部とを嵌め合い、隣れる係合用凸部の係止凸条を隣れる角材の対応する係合用凸部の係止凹溝に係合し、
この係合を楔を用いて楔作用により結合してなる
角材を用いて構成した無垢木材結合パネル。
【請求項２】
角材の四つの表面に係合用凹凸部をその凹部と凸部が角材の長手方向に交互に配置して設けてあり、該凹凸部が角材の長手方向に対し直交する向きに配置してあり、係合用凸部の角材の長手方向に直交する両壁の何れか一方の壁に係止凹溝と係止凸条を設けて、係合用凹凸部を角材の長手方向に直交して備える角材を設け、
上記係合用凹凸部を備える多数の角材を用意し、
複数の上記角材を前後及び／又は左右に平行に並べて互いに隣れる角材の係合用凹部と係合用凸部とを嵌め合い、隣れる係合用凸部の係止凸条を隣れる角材の対応する係合用凸部の係止凹溝に係合し、
この係合を楔を用いて楔作用により結合してなる
角材の長手方向に直交する凹部と凸部とを交互に配置した角材を用いて構成した無垢木材結合パネル。
【請求項３】
角材の前後面に係合用凹凸部をその凹部と凸部が角材の長手方向に交互に配置して設けてあり、該凹凸部が角材の長手方向に対し傾斜する向きに配置してあり、角材の左右面に係合用凹凸部をその凹部と凸部が角材の長手方向に交互に配置して設けてあり、該凹凸部が角材の長手方向に対し直交する向きに配置してあり、何れの係合用凸部の両壁の何れか一方の壁に係止凹溝と係止凸条を設けて，係合用凹凸部を角材の長手方向に対して傾斜する向きと直交する向きとに備える角材を設け、
上記傾斜する係合用凹凸部と直交する係合用凹凸部を備える多数の角材を用意し、
複数の上記角材を前後及び／又は左右に平行に並べて互いに隣れる角材の係合用凹部と係合用凸部とを嵌め合い、隣れる係合用凸部の係止凸条を隣れる角材の対応する係合用凸部の係止凹溝に係合し、
この係合を楔を用いて楔作用により結合してなる
角材の長手方向に対して傾斜する向きと直交する向きに凹部と凸部を交互に配置した角材を用いて構成した無垢木材結合パネル。
【請求項４】
角材の前後面に係合用凹凸部をその凹部と凸部が角材の長手方向に交互に配置して設けてあり、該凹凸部が角材の長手方向に対し傾斜する向きに配置してあり、角材の左右面に係合用凹凸部をその凹部と凸部が角材の長手方向に交互に配置して設けてあり、該凹凸部が角材の長手方向に対し直交する向きに配置してあり、何れの係合用凸部の両壁の何れか一方の壁に係止凹溝と係止凸条を設けて，係合用凹凸部を角材の長手方向に対して傾斜する向きと直交する向きとに備える角材を設け、
上記傾斜する係合用凹凸部と直交する係合用凹凸部を備える多数の角材を用意し、
複数の角材を左右に平行に並べて互いに隣れる角材の係合用凹部と係合用凸部とを嵌め合い、隣れる係合用凸部の係止凸条を隣れる角材の対応する係合用凸部の係止凹溝に係合し、この係合を楔を用いて楔作用により結合して複数の角材を左右方向に結合したブロックを構成し、
これらブロックを角材が直交する向きに前後に配置して、前後面の傾斜する係合用凹凸部を互いに対応する係合用凹部と係合用凸部とを嵌め合い、係合用凸部の係止凸条を対応する係合用凸部の係止凹溝に係合し、この係合を楔を用いて楔作用により結合してなる、  角材の長手方向に対して傾斜する向きと直交する向きに凹部と凸部を交互に配置した角材を用いて構成した無垢木材結合パネル。
【請求項５】
角材の四つの表面に係合用凹凸部をその凹部と凸部が角材の長手方向に交互に配置して設けてあり、該凹凸部が角材の長手方向に対し傾斜する向きに配置してあり、係合用凸部の角材の長手方向に傾斜する両壁の何れか一方の壁に係止凹溝と係止凸条を設けて、係合用凹凸部を角材の長手方向に傾斜して備える角材を設け、
上記斜めの係合用凹凸部を備える多数の角材を用意し、
複数の角材を前後及び／又は左右に平行に並べて互いに隣れる角材の係合用凸部と係合用凹部とを嵌め合い、隣れる係合用凸部の係止凸条を隣れる角材の対応する係合用凸部の係止凹溝に係合し、
この係合を楔を用いて楔作用により結合してなる、
係合用凹凸部を角材の長手方向に傾斜して備える角材を用いて構成した無垢木材結合パネル。
【請求項６】
角材の四つの表面に係合用凹凸部をその凹部と凸部が角材の長手方向に交互に配置して設けてあり、該凹凸部が角材の長手方向に対し傾斜する向きに配置してあり、係合用凸部の角材の長手方向に傾斜する両壁の何れか一方の壁に係止凹溝と係止凸条を設けて、係合用凹凸部を角材の長手方向に傾斜して備える角材を設け、
上記斜めの係合用凹凸部を備える多数の角材を用意し、
複数の角材を左右に平行に並べて互いに隣れる角材の係合用凹部と係合用凸部とを嵌め合い、隣れる係合用凸部の係止凸条を隣れる角材の対応する係合用凸部の係止凹溝に係合し、
この係合を楔を用いて楔作用により結合して複数の角材を左右方向に結合したブロックを構成し、
これらブロックを角材が直交する向きに前後に配置して前後面の傾斜する係合用凹凸部を互いに対応する係合用凸部の係止凸条を対応する係合用凸部の係止凹溝に係合し、この係合を楔を用いて楔作用により結合してなる、
係合用凹凸部を角材の長手方向に傾斜して備える角材を用いて構成した無垢木材結合パネル。
【請求項７】
角材の四つの表面に係合用凹凸部をその凹部と凸部が角材の長手方向に交互に配置して設けてあり、該凹凸部が角材の長手方向に対し直交する向きに配置してあり、係合用凸部の角材の長手方向に直交する両壁の何れか一方の壁に係止凹溝と係止凸条を設けて、係合用凹凸部を角材の長手方向に直交して備える角材を設け、
一方、角材の四つの表面に係合用凹凸部をその凹部と凸部が角材の長手方向に交互に配置して設けてあり、該凹凸部が角材の長手方向に対し傾斜する向きに配置してあり、係合用凸部の角材の長手方向に傾斜する両壁の何れか一方の壁に係止凹溝と係止凸条を設けて、係合用凹凸部を角材の長手方向に傾斜して備える角材を設け、
角材の長手方向に対して直交する係合用凹凸部を備える多数の角材と、角材の長手方向に対して傾斜する係合用凹凸部を備える多数の角材を用意し、
それぞれ角材の長手方向に対して直交する係合用凹凸部を備える複数の角材を左右に平行に並べて互いに隣れる角材の係合用凹部と係合用凸部とを嵌め合い、隣れる係合用凸部の係止凸条を隣れる角材の対応する係合用凸部の係止凹溝に係合し、この係合を楔を用いて楔作用により結合して、角材の長手方向に対して直交する係合用凹凸部を備える複数の角材を左右方向に結合したブロックを構成し、
一方、それぞれの角材の長手方向に対して傾斜する係合用凹凸部を備える複数の角材を左右に平行に並べて互いに隣れる角材の係合用凹部と係合用凸部とを嵌め合い、隣れる係合用凸部の係止凸条を隣れる角材の対応する係合用凸部の係止凹溝に係合し、この係合を楔を用いて楔作用により結合して、角材の長手方向に対して傾斜する係合用凹凸部を備える複数の角材を左右方向に結合したブロックを構成し、
これら２つのブロックを角材が交差する向きに前後に配置して互いに対応する係合用凹部と係合用凸部とを嵌め合い、係合用凸部の係止凸条を対応する係合用凸部の係止凹溝に係合し、この係合を楔を用いて楔作用により結合してなる、
係合用凹凸部を角材の長手方向に直交して備える角材と、係合用凹凸部を角材の長手方向に対し傾斜して備える角材とを用いて構成した無垢木材結合パネル。
【請求項８】
角材の四つの表面に係合用凹凸部をその凹部と凸部が角材の長手方向に交互に配置して設けてあり、該凹凸部が角材の長手方向に対し直交する向きに配置してあり、係合用凸部の角材の長手方向に直交する両壁の何れか一方の壁に係止凹溝と係止凸条を設けて、係合用凹凸部を角材の長手方向に直交して備える角材を設け、
一方、角材の前後面に係合用凹凸部をその凹部と凸部が角材の長手方向に交互に配置して設けてあり、該凹凸部が角材の長手方向に対し傾斜する向きに配置してあり、角材の左右面に係合用凹凸部をその凹部と凸部が角材の長手方向に交互に配置して設けてあり、該凹凸部が角材の長手方向に対し直交する向きに配置してあり、何れの係合用凸部の両壁の何れか一方の壁に係止凹溝と係止凸条を設けて，係合用凹凸部を角材の長手方向に対して傾斜する向きと直交する向きとに備える角材を設け、
角材の長手方向に対して直交する係合用凹凸部を備える多数の角材と、前後面の係合用凹凸部を角材の長手方向に対して傾斜する向きに配置し、左右面の係合用凹凸部を角材の長手方向に対して直交する向きに配置して備える多数の角材を用意し、
それぞれ角材の長手方向に対して直交する係合用凹凸部を備える複数の角材を左右に平行に並べて、互いに隣れる角材の係合用凹部と係合用凸部とを嵌め合い、隣れる係合用凸部の係止凸条を隣れる角材の対応する係合用凸部の係止凹溝に係合し、この係合を楔を用いて楔作用により結合して、角材の長手方向に対して直交する係合用凹凸部を備える複数の角材を左右方向に結合したブロックを構成し、
一方、前後面の係合用凹凸部を角材の長手方向に対して傾斜する向きに配置し、左右面の係合用凹凸部を角材の長手方向に対して直交する向きに配置して備える複数の角材を左右に平行に並べて互いに隣れる角材の係合用凹部と係合用凸部とを嵌め合い、隣れる係合用凸部の係止凸条を隣れる角材の対応する係合用凸部の係止凹溝に係合し、この係合を楔を用いて楔作用により結合して、前後面の係合用凹凸部を角材の長手方向に対して傾斜する向きに配置し、左右面の係合用凹凸部を角材の長手方向に対して直交する向きに配置して備える複数の角材を左右方向に結合したブロックを構成し、
これら２つのブロックを角材が交差する向きに前後に配置して互いに対応する係合用凹部と係合用凸部とを嵌め合い、係合用凸部の係止凸条を対応する係合用凸部の係止凹溝に係合し、この係合を楔を用いて楔作用により結合してなる、
係合用凹凸部を角材の長手方向に直交して備える角材と、前後面の係合用凹凸部を角材の長手方向に対して傾斜する向きに配置し、左右面の係合用凹凸部を角材の長手方向に対して直交する向きに配置して備える角材とを用いて構成した無垢木材結合パネル。
【請求項９】
上記請求項１〜８の何れかに記載の無垢木材結合パネルを構成する角材の一つの面にだけ係合用凹凸部を設けない平坦面をなす表面用角材を設け、この表面用角材を表面に配置した上記請求項１〜８の何れかに記載の無垢木材結合パネル。
【請求項１０】
小幅板の表面を平坦面とし、小幅板の裏面に係合用凹凸部を設け、係合用凸部の外側壁に係止凸条を設けて表面用小幅板を設け、
この表面用小幅板の上記係合用凹凸部を上記請求項１〜８の何れかに記載の無垢木材結合パネルの表面の角材の係合用凹凸部に嵌め合わせ、
この表面用小幅板の係合用凸部の係止凸条を上記無垢木材結合パネルの表面の角材の係合用凸部の係止凹溝に係合し、
この係合を楔を用いて楔作用により結合してなる上記請求項項１〜８の何れかに記載の無垢木材結合パネル。
【請求項１１】
角材の前後面を平坦面とし、角材の左右面に係合用凹凸部をその凹部と凸部が角材の長手方向に交互に配置して設けてあり、該凹凸部が角材の長手方向に対し直交する向きに配置してあり、左右面の係合用凸部の両壁の何れか一方の壁に係止凹溝と係止凸条を設けて角材の左右面のみに係合用凹凸部を備える角材を設け、
上記左右面のみに係合用凹凸部を備える多数の角材を用意し、
複数の角材を左右方向に平行に並べて互いに隣れる角材の係合用凹部と係合用凸部とを嵌め合い、隣れる係合用凸部の係止凸条を隣れる角材の対応する係合用凸部の係止凹溝に係止し、
この係合を楔を用いて楔作用により結合してなる、
角材の前後面を平坦面とし、角材の左右面に係合用凹凸部をその凹部と凸部が角材の長手方向に交互に配置して設けてあり、該凹凸部が角材の長手方向に対し直交する向きに配置してある角材を用いて構成した無垢木材結合パネル。
【請求項１２】
角材の四つの表面に係合用凹凸部を角材の長手方向に交互に配置して設けてあり、係合用凸部の何れか一方の壁に係止凹溝と係止凸条を設けなる無垢木材結合パネルに使用する角材。
【請求項１３】
角材の四つの表面に係合用凹凸部をその凹部と凸部が角材の長手方向に交互に配置して設けてあり、該凹凸部が角材の長手方向に対し直交する向きに配置してあり、係合用凸部の角材の長手方向に直交する両壁の何れか一方の壁に係止凹溝と係止凸条を設けてなる無垢木材結合パネルに使用する角材。
【請求項１４】
角材の前後面に係合用凹凸部をその凹部と凸部が角材の長手方向に交互に配置して設けてあり、該凹凸部が角材の長手方向に対し傾斜する向きに配置してあり、角材の左右面に係合用凹凸部をその凹部と凸部が角材の長手方向に交互に配置して設けてあり、該凹凸部が角材の長手方向に対し直交する向きに配置してあり、何れの係合用凸部の両壁の何れか一方の壁に係止凹溝と係止凸条を設けてなる無垢木材結合パネルに使用する角材。
【請求項１５】
角材の四つの表面に係合用凹凸部をその凹部と凸部が角材の長手方向に交互に配置して設けてあり、該凹凸部が角材の長手方向に対し傾斜する向きに配置してあり、係合用凸部の角材の長手方向に傾斜する両壁の何れか一方の壁に係止凹溝と係止凸条を設けてなる無垢木材結合パネルに使用する角材。
【請求項１６】
角材の前後面を平坦面とし、角材の左右面に係合用凹凸部をその凹部と凸部が角材の長手方向に交互に配置して設けてあり、該凹凸部が角材の長手方向に対し直交する向きに配置してあり、左右面の係合用凸部の両壁の何れか一方の壁に係止凹溝と係止凸条を設けてなる無垢木材結合パネルに使用する角材。
【発明の詳細な説明】
【技術分野】
【０００１】
本発明は、有害物質を含まない、例えば住宅建築に有効活用できる無垢木材結合パネル及びこの無垢木材結合パネルに使用する角材に関する。
【背景技術】
【０００２】
山の森林はダムの役割をしている。そこで山が荒れると水源維持ができなくなる。即ち、山林は人手をかけて管理しないと、風圧、積雪によって倒木に至り、有効に保存されない。特に人工林は、間伐、下草刈、枝打（年間６〜７回）の手間をかけないと有効に保存されない。ところが、現状では山林を皆伐し、山出しを行っても、人件費もでないから人手をかけて管理していない山林が多い。そこで、国がとりあえず山を守るため、皆伐の予算を出して木を切っている。しかし現状ではこの皆伐材、間伐材が使用されることなく無駄になっている。  【０００３】
一方、近年では日本の木材需要は、地球環境を破壊しながら輸入材に依存している。林野庁の集計では、国産材の自給率は平均２０％を切る状態である。
わが国でも地球環境のため、森林保全のため、皆伐、間伐を行い、資源の無駄使いが行われている。
建築循環資材としての木材は、３０年、５０年、１００年経たないと使えないので、本来大事に使わなければならないはずである。
国産材の振興を図り、決して無駄にすることなく、森林資源の木材を住宅建築に有効に活用すること、そして、人工林と自然林のバランスを取りつつ、地球環境を維持することが、求められている。【０００４】
そこで、フリーサイズ、フリー形状、フリー断面の無垢木材パネル（結合単体材）は、厚さ、形状、面積の制約を受けず、無垢木材パネルの組立てが可能であり、ホルムアルデヒド等の有害物質を含まない、地球環境、地域環境、住人に負荷をかけないエコロジー建築に必要な無垢フリーサイズパネルの開発が求められており、既に提案されている（例えば特許文献１）。
【特許文献１】特表２００２−５２０１９８号公報
【０００５】
上記無垢フリーサイズパネルは、地域木材使用、輸送コスト削減、ＣＯ２排出量の低減ができ、断熱、調湿、吸音、遮音効果に優れ、省エネルギーが図れ、製造、輸送、廃棄、人工材料等取り換え等による環境負荷の低減も図れる。
しかも、葉干し乾燥した木材を柾目板状に製材し野積み乾燥後、含水率１５％程度の板材を加工することが板の反り狂いを押え、強度の増した良質の部材提供が可能であり、部材の標準化と建築の生産管理、品質管理、在庫管理も可能となり好ましい。
さらに、人に対して安全、健康、癒し、やすらぎの付加価値を提供し、建物の価値評価を増すことができる。
即ち、このフリーサイズパネルを使用した木造壁式構造は、耐震的な建物を容易に造ることができ、部屋を構成している間仕切壁、天井、２階床板部分を容易に変えることができ、家族構成、ライフスタイルの変化に容易に対応できる。
また、このフリーサイズパネルは軸組構造、木質壁式構造、パネル工法、鉄骨ＲＣ造り建物にも使用可能であり付加価値効果大である。
【発明の開示】
【発明が解決しようとする課題】
【０００６】
上記特許文献１の先行例は、上記した通り、人的環境、地球環境にきわめて好ましい。
本発明は、この公知の無垢木材結合パネルの有効性はそのまま保ち、同じ厚さのパネルであれば、より高い強度を発揮すると共にパネルの面積も大きく広げることができ、より多くの用途に適応できる角材を使用した新規な無垢木材結合パネル及びこの無垢木材結合パネルに使用する角材を提供する。
【課題を解決するための手段】
【０００７】
そのため、本発明無垢木材結合パネルは、角材の四つの表面に係合用凹凸部を角材の長手方向に交互に配置して設けてあり、係合用凸部の何れか一方の壁に係止凹溝と係止凸条を設けてあり、上記多数の角材を用意し、複数の上記角材を前後及び／又は左右に並べて互いに隣れる角材の係合用凹部と係合用凸部とを嵌め合い、隣れる係合用凸部の係止凸条を隣れる角材の対応する係合用凸部の係止凹溝に係合し、この係合を楔を用いて楔作用により結合してなるものである。【０００８】
そのために、本発明無垢木材結合パネルは、角材の四つの表面に係合用凹凸部をその凹部と凸部が角材の長手方向に交互に配置して設けてあり、該凹凸部が角材の長手方向に対し直交する向きに配置してあり、係合用凸部の角材の長手方向に直交する両壁の何れか一方の壁に係止凹溝と係止凸条を設けて、係合用凹凸部を角材の長手方向に直交して備える角材を設け、上記係合用凹凸部を備える多数の角材を用意し、複数の上記角材を前後及び／又は左右に平行に並べて互いに隣れる角材の係合用凹部と係合用凸部とを嵌め合い、隣れる係合用凸部の係止凸条を隣れる角材の対応する係合用凸部の係止凹溝に係合し、この係合を楔を用いて楔作用により結合してなるものである。【０００９】
また、本発明無垢木材結合パネルは、角材の前後面に係合用凹凸部をその凹部と凸部が角材の長手方向に交互に配置して設けてあり、該凹凸部が角材の長手方向に対し傾斜する向きに配置してあり、角材の左右面に係合用凹凸部をその凹部と凸部が角材の長手方向に交互に配置して設けてあり、該凹凸部が角材の長手方向に対し直交する向きに配置してあり、何れの係合用凸部の両壁の何れか一方の壁に係止凹溝と係止凸条を設けて，係合用凹凸部を角材の長手方向に対して傾斜する向きと直交する向きとに備える角材を設け、上記傾斜する係合用凹凸部と直交する係合用凹凸部を備える多数の角材を用意し、複数の上記角材を前後及び／又は左右に平行に並べて互いに隣れる角材の係合用凹部と係合用凸部とを嵌め合い、隣れる係合用凸部の係止凸条を隣れる角材の対応する係合用凸部の係止凹溝に係合し、この係合を楔を用いて楔作用により結合してなるものである。【００１０】
さらに、本発明無垢木材結合パネルは、角材の前後面に係合用凹凸部をその凹部と凸部が角材の長手方向に交互に配置して設けてあり、該凹凸部が角材の長手方向に対し傾斜する向きに配置してあり、角材の左右面に係合用凹凸部をその凹部と凸部が角材の長手方向に交互に配置して設けてあり、該凹凸部が角材の長手方向に対し直交する向きに配置してあり、何れの係合用凸部の両壁の何れか一方の壁に係止凹溝と係止凸条を設けて，係合用凹凸部を角材の長手方向に対して傾斜する向きと直交する向きとに備える角材を設け、上記傾斜する係合用凹凸部と直交する係合用凹凸部を備える多数の角材を用意し、複数の角材を左右に平行に並べて互いに隣れる角材の係合用凹部と係合用凸部とを嵌め合い、隣れる係合用凸部の係止凸条を隣れる角材の対応する係合用凸部の係止凹溝に係合し、この係合を楔を用いて楔作用により結合して複数の角材を左右方向に結合したブロックを構成し、これらブロックを角材が直交する向きに前後に配置して、前後面の傾斜する係合用凹凸部を互いに対応する係合用凹部と係合用凸部とを嵌め合い、係合用凸部の係止凸条を対応する係合用凸部の係止凹溝に係合し、この係合を楔を用いて楔作用により結合してなるものである。【００１１】
また、本発明無垢木材結合パネルは、角材の四つの表面に係合用凹凸部をその凹部と凸部が角材の長手方向に交互に配置して設けてあり、該凹凸部が角材の長手方向に対し傾斜する向きに配置してあり、係合用凸部の角材の長手方向に傾斜する両壁の何れか一方の壁に係止凹溝と係止凸条を設けて、係合用凹凸部を角材の長手方向に傾斜して備える角材を設け、上記斜めの係合用凹凸部を備える多数の角材を用意し、複数の角材を前後及び／又は左右に平行に並べて互いに隣れる角材の係合用凹部と係合用凸部とを嵌め合い、隣れる係合用凸部の係止凸条を隣れる角材の対応する係合用凸部の係止凹溝に係合し、この係合を楔を用いて楔作用により結合してなるものである。【００１２】
さらに、本発明無垢木材結合パネルは、角材の四つの表面に係合用凹凸部をその凹部と凸部が角材の長手方向に交互に配置して設けてあり、該凹凸部が角材の長手方向に対し傾斜する向きに配置してあり、係合用凸部の角材の長手方向に傾斜する両壁の何れか一方の壁に係止凹溝と係止凸条を設けて、係合用凹凸部を角材の長手方向に傾斜して備える角材を設け、上記斜めの係合用凹凸部を備える多数の角材を用意し、複数の角材を左右に平行に並べて互いに隣れる角材の係合用凹部と係合用凸部とを嵌め合い、隣れる係合用凸部の係止凸条を隣れる角材の対応する係合用凸部の係止凹溝に係合し、この係合を楔を用いて楔作用により結合して複数の角材を左右方向に結合したブロックを構成し、これらブロックを角材が直交する向きに前後に配置して前後面の傾斜する係合用凹凸部を互いに対応する係合用凸部の係止凸条を対応する係合用凸部の係止凹溝に係合し、この係合を楔を用いて楔作用により結合してなるものである。【００１３】
また、本発明無垢木材結合パネルは、角材の四つの表面に係合用凹凸部をその凹部と凸部が角材の長手方向に交互に配置して設けてあり、該凹凸部が角材の長手方向に対し直交する向きに配置してあり、係合用凸部の角材の長手方向に直交する両壁の何れか一方の壁に係止凹溝と係止凸条を設けて、係合用凹凸部を角材の長手方向に直交して備える角材を設け、一方、角材の四つの表面に係合用凹凸部をその凹部と凸部が角材の長手方向に交互に配置して設けてあり、該凹凸部が角材の長手方向に対し傾斜する向きに配置してあり、係合用凸部の角材の長手方向に傾斜する両壁の何れか一方の壁に係止凹溝と係止凸条を設けて、係合用凹凸部を角材の長手方向に傾斜して備える角材を設け、角材の長手方向に対して直交する係合用凹凸部を備える多数の角材と、角材の長手方向に対して傾斜する係合用凹凸部を備える多数の角材を用意し、それぞれ角材の長手方向に対して直交する係合用凹凸部を備える複数の角材を左右に平行に並べて互いに隣れる角材の係合用凹部と係合用凸部とを嵌め合い、隣れる係合用凸部の係止凸条を隣れる角材の対応する係合用凸部の係止凹溝に係合し、この係合を楔を用いて楔作用により結合して、角材の長手方向に対して直交する係合用凹凸部を備える複数の角材を左右方向に結合したブロックを構成し、一方、それぞれの角材の長手方向に対して傾斜する係合用凹凸部を備える複数の角材を左右に平行に並べて互いに隣れる角材の係合用凹部と係合用凸部とを嵌め合い、隣れる係合用凸部の係止凸条を隣れる角材の対応する係合用凸部の係止凹溝に係合し、この係合を楔を用いて楔作用により結合して、角材の長手方向に対して傾斜する係合用凹凸部を備える複数の角材を左右方向に結合したブロックを構成し、これら２つのブロックを角材が交差する向きに前後に配置して互いに対応する係合用凹部と係合用凸部とを嵌め合い、係合用凸部の係止凸条を対応する係合用凸部の係止凹溝に係合し、この係合を楔を用いて楔作用により結合してなるものである。【００１４】
さらに、本発明無垢木材結合パネルは、角材の四つの表面に係合用凹凸部をその凹部と凸部が角材の長手方向に交互に配置して設けてあり、該凹凸部が角材の長手方向に対し直交する向きに配置してあり、係合用凸部の角材の長手方向に直交する両壁の何れか一方の壁に係止凹溝と係止凸条を設けて、係合用凹凸部を角材の長手方向に直交して備える角材を設け、一方、角材の前後面に係合用凹凸部をその凹部と凸部が角材の長手方向に交互に配置して設けてあり、該凹凸部が角材の長手方向に対し傾斜する向きに配置してあり、角材の左右面に係合用凹凸部をその凹部と凸部が角材の長手方向に交互に配置して設けてあり、該凹凸部が角材の長手方向に対し直交する向きに配置してあり、何れの係合用凸部の両壁の何れか一方の壁に係止凹溝と係止凸条を設けて，係合用凹凸部を角材の長手方向に対して傾斜する向きと直交する向きとに備える角材を設け、角材の長手方向に対して直交する係合用凹凸部を備える多数の角材と、前後面の係合用凹凸部を角材の長手方向に対して傾斜する向きに配置し、左右面の係合用凹凸部を角材の長手方向に対して直交する向きに配置して備える多数の角材を用意し、それぞれ角材の長手方向に対して直交する係合用凹凸部を備える複数の角材を左右に平行に並べて、互いに隣れる角材の係合用凹部と係合用凸部とを嵌め合い、隣れる係合用凸部の係止凸条を隣れる角材の対応する係合用凸部の係止凹溝に係合し、この係合を楔を用いて楔作用により結合して、角材の長手方向に対して直交する係合用凹凸部を備える複数の角材を左右方向に結合したブロックを構成し、一方、前後面の係合用凹凸部を角材の長手方向に対して傾斜する向きに配置し、左右面の係合用凹凸部を角材の長手方向に対して直交する向きに配置して備える複数の角材を左右に平行に並べて互いに隣れる角材の係合用凹部と係合用凸部とを嵌め合い、隣れる係合用凸部の係止凸条を隣れる角材の対応する係合用凸部の係止凹溝に係合し、この係合を楔を用いて楔作用により結合して、前後面の係合用凹凸部を角材の長手方向に対して傾斜する向きに配置し、左右面の係合用凹凸部を角材の長手方向に対して直交する向きに配置して備える複数の角材を左右方向に結合したブロックを構成し、これら２つのブロックを角材が交差する向きに前後に配置して互いに対応する係合用凹部と係合用凸部とを嵌め合い、係合用凸部の係止凸条を対応する係合用凸部の係止凹溝に係合し、この係合を楔を用いて楔作用により結合してなるものである。【００１５】
また、本発明無垢木材結合パネルは、請求項１〜８の何れかに記載の無垢木材結合パネルを構成する角材の一つの面にだけ係合用凹凸部を設けない平坦面をなす表面用角材を設け、この表面用角材を表面に配置した請求項１〜８の何れかに記載の無垢木材結合パネルである。【００１６】
さらに、本発明無垢木材結合パネルは、小幅板の表面を平坦面とし、小幅板の裏面に係合用凹凸部を設け、係合用凸部の外側壁に係止凸条を設けて表面用小幅板を設け、この表面用小幅板の上記係合用凹凸部を請求項１〜８の何れかに記載の無垢木材結合パネルの表面の角材の係合用凹凸部に嵌め合わせ、この表面用小幅板の係合用凸部の係止凸条を上記無垢木材結合パネルの表面の角材の係合用凸部の係止凹溝に係合し、この係合を楔を用いて楔作用により結合してなる請求項項１〜８の何れかに記載の無垢木材結合パネルである。【００１７】
また、本発明無垢木材結合パネルは、角材の前後面を平坦面とし、角材の左右面に係合用凹凸部をその凹部と凸部が角材の長手方向に交互に配置して設けてあり、該凹凸部が角材の長手方向に対し直交する向きに配置してあり、左右面の係合用凸部の両壁の何れか一方の壁に係止凹溝と係止凸条を設けて角材の左右面のみに係合用凹凸部を備える角材を設け、上記左右面のみに係合用凹凸部を備える多数の角材を用意し、複数の角材を左右方向に平行に並べて互いに隣れる角材の係合用凹部と係合用凸部とを嵌め合い、隣れる係合用凸部の係止凸条を隣れる角材の対応する係合用凸部の係止凹溝に係止し、この係合を楔を用いて楔作用により結合してなるものである。【００１８】
次に、本発明無垢木材結合パネルに使用する角材は、角材の四つの表面に係合用凹凸部を角材の長手方向に交互に配置して設けてあり、係合用凸部の何れか一方の壁に係止凹溝と係止凸条を設けてなるものである。【００１９】
本発明無垢木材結合パネルに使用する角材は、角材の四つの表面に係合用凹凸部をその凹部と凸部が角材の長手方向に交互に配置して設けてあり、該凹凸部が角材の長手方向に対し直交する向きに配置してあり、係合用凸部の角材の長手方向に直交する両壁の何れか一方の壁に係止凹溝と係止凸条を設けてなるものである。【００２０】
また、本発明無垢木材結合パネルに使用する角材は、角材の前後面に係合用凹凸部をその凹部と凸部が角材の長手方向に交互に配置して設けてあり、該凹凸部が角材の長手方向に対し傾斜する向きに配置してあり、角材の左右面に係合用凹凸部をその凹部と凸部が角材の長手方向に交互に配置して設けてあり、該凹凸部が角材の長手方向に対し直交する向きに配置してあり、何れの係合用凸部の両壁の何れか一方の壁に係止凹溝と係止凸条を設けてなるものである。【００２１】
さらに、本発明無垢木材結合パネルに使用する角材は、角材の四つの表面に係合用凹凸部をその凹部と凸部が角材の長手方向に交互に配置して設けてあり、該凹凸部が角材の長手方向に対し傾斜する向きに配置してあり、係合用凸部の角材の長手方向に傾斜する両壁の何れか一方の壁に係止凹溝と係止凸条を設けてなるものである。【００２２】
また、本発明無垢木材結合パネルに使用する角材は、角材の前後面を平坦面とし、角材の左右面に係合用凹凸部をその凹部と凸部が角材の長手方向に交互に配置して設けてあり、該凹凸部が角材の長手方向に対し直交する向きに配置してあり、左右面の係合用凸部の両壁の何れか一方の壁に係止凹溝と係止凸条を設けてなるものである。
【発明の効果】
【００２３】
本発明無垢木材結合パネルは、角材の四つの表面に係合用凹凸部を角材の長手方向に交互に配置して設けてあり、係合用凸部の何れか一方の壁に係止凹溝と係止凸条を設けてあり、上記多数の角材を用意し、複数の上記角材を前後及び／又は左右に並べて互いに隣れる角材の係合用凹部と係合用凸部とを嵌め合い、隣れる係合用凸部の係止凸条を隣れる角材の対応する係合用凸部の係止凹溝に係合し、この係合を楔を用いて楔作用により結合してなるものであるから、角材相互の結合力が増し、だぼ、木釘，金物、接着剤等の結合具を用いなくとも、無垢木材結合パネルを提供できる効果がある。
また、角材同士の結合であるから、強度の大きい無垢木材結合パネルを提供できる効果がある。
さらに、角材を延長結合することにより、パネルを平面上縦横方向に自由に延長できる効果もある。【００２４】
本発明無垢木材結合パネルは、角材の四つの表面に係合用凹凸部をその凹部と凸部が角材の長手方向に交互に配置して設けてあり、該凹凸部が角材の長手方向に対し直交する向きに配置してあり、係合用凸部の角材の長手方向に直交する両壁の何れか一方の壁に係止凹溝と係止凸条を設けて、係合用凹凸部を角材の長手方向に直交して備える角材を設け、上記係合用凹凸部を備える多数の角材を用意し、複数の上記角材を前後及び／又は左右に平行に並べて互いに隣れる角材の係合用凹部と係合用凸部とを嵌め合い、隣れる係合用凸部の係止凸条を隣れる角材の対応する係合用凸部の係止凹溝に係合し、この係合を楔を用いて楔作用により結合してなるものであるから、角材相互の結合力が増し、だぼ、木釘，金物、接着剤等の結合具を用いなくとも，無垢木材結合パネルを提供できる効果がある。
また、角材同士の結合であるから、強度の大きい無垢木材結合パネルを提供できる効果がある。
さらに、角材を延長結合することにより、パネルを平面上縦横方向に自由に延長できる効果もある。【００２５】
また、本発明無垢木材結合パネルは、角材の前後面に係合用凹凸部をその凹部と凸部が角材の長手方向に交互に配置して設けてあり、該凹凸部が角材の長手方向に対し傾斜する向きに配置してあり、角材の左右面に係合用凹凸部をその凹部と凸部が角材の長手方向に交互に配置して設けてあり、該凹凸部が角材の長手方向に対し直交する向きに配置してあり、何れの係合用凸部の両壁の何れか一方の壁に係止凹溝と係止凸条を設けて，係合用凹凸部を角材の長手方向に対して傾斜する向きと直交する向きとに備える角材を設け、上記傾斜する係合用凹凸部と直交する係合用凹凸部を備える多数の角材を用意し、複数の上記角材を前後及び／又は左右に平行に並べて互いに隣れる角材の係合用凹部と係合用凸部とを嵌め合い、隣れる係合用凸部の係止凸条を隣れる角材の対応する係合用凸部の係止凹溝に係合し、この係合を楔を用いて楔作用により結合してなるものであるから、上記同様に、だぼ，木釘、金物、接着剤等の結合具を用いなくとも無垢木材結合パネルを提供できる効果がある。
また、角材同士の結合であるから、強度の大きい無垢木材結合パネルを提供できる効果がある。
さらに、角材を延長結合することにより、パネルを平面上縦横方向に自由に延長でき、より大面積のパネルを提供できるとともに、前後方向にも複層構造にできる効果がある。【００２６】
さらに、本発明無垢木材結合パネルは、角材の前後面に係合用凹凸部をその凹部と凸部が角材の長手方向に交互に配置して設けてあり、該凹凸部が角材の長手方向に対し傾斜する向きに配置してあり、角材の左右面に係合用凹凸部をその凹部と凸部が角材の長手方向に交互に配置して設けてあり、該凹凸部が角材の長手方向に対し直交する向きに配置してあり、何れの係合用凸部の両壁の何れか一方の壁に係止凹溝と係止凸条を設けて，係合用凹凸部を角材の長手方向に対して傾斜する向きと直交する向きとに備える角材を設け、上記傾斜する係合用凹凸部と直交する係合用凹凸部を備える多数の角材を用意し、複数の角材を左右に平行に並べて互いに隣れる角材の係合用凹部と係合用凸部とを嵌め合い、隣れる係合用凸部の係止凸条を隣れる角材の対応する係合用凸部の係止凹溝に係合し、この係合を楔を用いて楔作用により結合して複数の角材を左右方向に結合したブロックを構成し、これらブロックを角材が直交する向きに前後に配置して、前後面の傾斜する係合用凹凸部を互いに対応する係合用凹部と係合用凸部とを嵌め合い、係合用凸部の係止凸条を対応する係合用凸部の係止凹溝に係合し、この係合を楔を用いて楔作用により結合してなるものであるから、上記同様、強固なパネルを提供でき、平面上縦横方向に自由に延長できて、大面積のパネルを提供できるとともに多層構造にしてより強度の大きいパネルを提供できる効果がある。
加えて、各角材が直交することになるから、木の繊維方向，木の中心方向からの放射方向、又は木の接線方向の持つ木材の欠点を補うことができ、この意味でも強度を大きくできる効果がある。【００２７】
また、本発明無垢木材結合パネルは、角材の四つの表面に係合用凹凸部をその凹部と凸部が角材の長手方向に交互に配置して設けてあり、該凹凸部が角材の長手方向に対し傾斜する向きに配置してあり、係合用凸部の角材の長手方向に傾斜する両壁の何れか一方の壁に係止凹溝と係止凸条を設けて、係合用凹凸部を角材の長手方向に傾斜して備える角材を設け、上記斜めの係合用凹凸部を備える多数の角材を用意し、複数の角材を前後及び／又は左右に平行に並べて互いに隣れる角材の係合用凹部と係合用凸部とを嵌め合い、隣れる係合用凸部の係止凸条を隣れる角材の対応する係合用凸部の係止凹溝に係合し、この係合を楔を用いて楔作用により結合してなるものであるから、上記同様、強固なパネルを提供でき、大面積にも多層構造にもできる効果がある。【００２８】
さらに、本発明無垢木材結合パネルは、角材の四つの表面に係合用凹凸部をその凹部と凸部が角材の長手方向に交互に配置して設けてあり、該凹凸部が角材の長手方向に対し傾斜する向きに配置してあり、係合用凸部の角材の長手方向に傾斜する両壁の何れか一方の壁に係止凹溝と係止凸条を設けて、係合用凹凸部を角材の長手方向に傾斜して備える角材を設け、上記斜めの係合用凹凸部を備える多数の角材を用意し、複数の角材を左右に平行に並べて互いに隣れる角材の係合用凹部と係合用凸部とを嵌め合い、隣れる係合用凸部の係止凸条を隣れる角材の対応する係合用凸部の係止凹溝に係合し、この係合を楔を用いて楔作用により結合して複数の角材を左右方向に結合したブロックを構成し、これらブロックを角材が直交する向きに前後に配置して前後面の傾斜する係合用凹凸部を互いに対応する係合用凸部の係止凸条を対応する係合用凸部の係止凹溝に係合し、この係合を楔を用いて楔作用により結合してなるものであるから、上記同様、強固なパネルを提供でき、大面積にも多層構造にもできる効果がある。
加えて、各角材が直交することになるから、木の繊維方向，木の中心方向からの放射方向、又は木の接線方向の持つ木材の欠点を補うことができ、この意味でも強度を大きくできる効果がある。【００２９】
また、本発明無垢木材結合パネルは、角材の四つの表面に係合用凹凸部をその凹部と凸部が角材の長手方向に交互に配置して設けてあり、該凹凸部が角材の長手方向に対し直交する向きに配置してあり、係合用凸部の角材の長手方向に直交する両壁の何れか一方の壁に係止凹溝と係止凸条を設けて、係合用凹凸部を角材の長手方向に直交して備える角材を設け、一方、角材の四つの表面に係合用凹凸部をその凹部と凸部が角材の長手方向に交互に配置して設けてあり、該凹凸部が角材の長手方向に対し傾斜する向きに配置してあり、係合用凸部の角材の長手方向に傾斜する両壁の何れか一方の壁に係止凹溝と係止凸条を設けて、係合用凹凸部を角材の長手方向に傾斜して備える角材を設け、角材の長手方向に対して直交する係合用凹凸部を備える多数の角材と、角材の長手方向に対して傾斜する係合用凹凸部を備える多数の角材を用意し、それぞれ角材の長手方向に対して直交する係合用凹凸部を備える複数の角材を左右に平行に並べて互いに隣れる角材の係合用凹部と係合用凸部とを嵌め合い、隣れる係合用凸部の係止凸条を隣れる角材の対応する係合用凸部の係止凹溝に係合し、この係合を楔を用いて楔作用により結合して、角材の長手方向に対して直交する係合用凹凸部を備える複数の角材を左右方向に結合したブロックを構成し、一方、それぞれの角材の長手方向に対して傾斜する係合用凹凸部を備える複数の角材を左右に平行に並べて互いに隣れる角材の係合用凹部と係合用凸部とを嵌め合い、隣れる係合用凸部の係止凸条を隣れる角材の対応する係合用凸部の係止凹溝に係合し、この係合を楔を用いて楔作用により結合して、角材の長手方向に対して傾斜する係合用凹凸部を備える複数の角材を左右方向に結合したブロックを構成し、これら２つのブロックを角材が交差する向きに前後に配置して互いに対応する係合用凹部と係合用凸部とを嵌め合い、係合用凸部の係止凸条を対応する係合用凸部の係止凹溝に係合し、この係合を楔を用いて楔作用により結合してなるものであるから、上記同様、強固なパネルを提供でき、大面積にも多層構造にもできる効果がある。
加えて、各角材が交差することになるから、木の繊維方向，木の中心方向からの放射方向、又は木の接線方向の持つ木材の欠点を補うことができ、この意味でも強度を大きくできる効果がある。【００３０】
さらに、本発明無垢木材結合パネルは、角材の四つの表面に係合用凹凸部をその凹部と凸部が角材の長手方向に交互に配置して設けてあり、該凹凸部が角材の長手方向に対し直交する向きに配置してあり、係合用凸部の角材の長手方向に直交する両壁の何れか一方の壁に係止凹溝と係止凸条を設けて、係合用凹凸部を角材の長手方向に直交して備える角材を設け、一方、角材の前後面に係合用凹凸部をその凹部と凸部が角材の長手方向に交互に配置して設けてあり、該凹凸部が角材の長手方向に対し傾斜する向きに配置してあり、角材の左右面に係合用凹凸部をその凹部と凸部が角材の長手方向に交互に配置して設けてあり、該凹凸部が角材の長手方向に対し直交する向きに配置してあり、何れの係合用凸部の両壁の何れか一方の壁に係止凹溝と係止凸条を設けて，係合用凹凸部を角材の長手方向に対して傾斜する向きと直交する向きとに備える角材を設け、角材の長手方向に対して直交する係合用凹凸部を備える多数の角材と、前後面の係合用凹凸部を角材の長手方向に対して傾斜する向きに配置し、左右面の係合用凹凸部を角材の長手方向に対して直交する向きに配置して備える多数の角材を用意し、それぞれ角材の長手方向に対して直交する係合用凹凸部を備える複数の角材を左右に平行に並べて、互いに隣れる角材の係合用凹部と係合用凸部とを嵌め合い、隣れる係合用凸部の係止凸条を隣れる角材の対応する係合用凸部の係止凹溝に係合し、この係合を楔を用いて楔作用により結合して、角材の長手方向に対して直交する係合用凹凸部を備える複数の角材を左右方向に結合したブロックを構成し、一方、前後面の係合用凹凸部を角材の長手方向に対して傾斜する向きに配置し、左右面の係合用凹凸部を角材の長手方向に対して直交する向きに配置して備える複数の角材を左右に平行に並べて互いに隣れる角材の係合用凹部と係合用凸部とを嵌め合い、隣れる係合用凸部の係止凸条を隣れる角材の対応する係合用凸部の係止凹溝に係合し、この係合を楔を用いて楔作用により結合して、前後面の係合用凹凸部を角材の長手方向に対して傾斜する向きに配置し、左右面の係合用凹凸部を角材の長手方向に対して直交する向きに配置して備える複数の角材を左右方向に結合したブロックを構成し、これら２つのブロックを角材が交差する向きに前後に配置して互いに対応する係合用凹部と係合用凸部とを嵌め合い、係合用凸部の係止凸条を対応する係合用凸部の係止凹溝に係合し、この係合を楔を用いて楔作用により結合してなるものであるから、上記同様、強固なパネルを提供でき、大面積にも多層構造にもできる効果がある。
加えて、各角材が交差することになるから、木の繊維方向，木の中心方向からの放射方向、又は木の接線方向の持つ木材の欠点を補うことができ、この意味でも強度を大きくできる効果がある。【００３１】
また、本発明無垢木材結合パネルは、請求項１〜８の何れかに記載の無垢木材結合パネルを構成する角材の一つの面にだけ係合用凹凸部を設けない平坦面をなす表面用角材を設け、この表面用角材を表面に配置した請求項１〜８の何れかに記載の無垢木材結合パネルであるから、表面を平坦にした無垢木材結合パネルを提供できる。【００３２】
さらに、本発明無垢木材結合パネルは、小幅板の表面を平坦面とし、小幅板の裏面に係合用凹凸部を設け、係合用凸部の外側壁に係止凸条を設けて表面用小幅板を設け、この表面用小幅板の上記係合用凹凸部を上記請求項１〜７の何れかに記載の無垢木材結合パネルの表面の角材の係合用凹凸部に嵌め合わせ、この表面用小幅板の係合用凸部の係止凸条を上記無垢木材結合パネルの表面の角材の係合用凸部の係止凹溝に係合し、この係合を楔を用いて楔作用により結合してなる上記請求項項１〜７の何れかに記載の無垢木材結合パネルであるから、表面を美麗な平板にした無垢木材結合パネルを提供できる。【００３３】
また、本発明無垢木材結合パネルは、角材の前後面を平坦面とし、角材の左右面に係合用凹凸部をその凹部と凸部が角材の長手方向に交互に配置して設けてあり、該凹凸部が角材の長手方向に対し直交する向きに配置してあり、左右面の係合用凸部の両壁の何れか一方の壁に係止凹溝と係止凸条を設けて角材の左右面のみに係合用凹凸部を備える角材を設け、上記左右面のみに係合用凹凸部を備える多数の角材を用意し、複数の角材を左右方向に平行に並べて互いに隣れる角材の係合用凸部と係合用凹部とを嵌め合い、隣れる係合用凸部の係止凸条を隣れる角材の対応する係合用凸部の係止凹溝に係止し、この係合を楔を用いて楔作用により結合してなるものであるから、簡単な構造の結合パネルを提供できる効果がある。【００３４】
次に、本発明無垢木材結合パネルに使用する角材は、角材の四つの表面に係合用凹凸部を角材の長手方向に交互に配置して設けてあり、係合用凸部の何れか一方の壁に係止凹溝と係止凸条を設けてなるものであるから、この角材を用いて強度の大きい無垢木材結合パネルを提供できる効果がある。【００３５】
次に、本発明無垢木材結合パネルに使用する角材は、角材の四つの表面に係合用凹凸部をその凹部と凸部が角材の長手方向に交互に配置して設けてあり、該凹凸部が角材の長手方向に対し直交する向きに配置してあり、係合用凸部の角材の長手方向に直交する両壁の何れか一方の壁に係止凹溝と係止凸条を設けてなるものであるから、この角材を用いて強度の大きい無垢木材結合パネルを提供できる効果がある。【００３６】
また、本発明無垢木材結合パネルに使用する角材は、角材の前後面に係合用凹凸部をその凹部と凸部が角材の長手方向に交互に配置して設けてあり、該凹凸部が角材の長手方向に対し傾斜する向きに配置してあり、角材の左右面に係合用凹凸部をその凹部と凸部が角材の長手方向に交互に配置して設けてあり、該凹凸部が角材の長手方向に対し直交する向きに配置してあり、何れの係合用凸部の両壁の何れか一方の壁に係止凹溝と係止凸条を設けてなるものであるから、この角材を用いて強度の大きい無垢木材結合パネルを提供できる効果がある。【００３７】
さらに、本発明無垢木材結合パネルに使用する角材は、角材の四つの表面に係合用凹凸部をその凹部と凸部が角材の長手方向に交互に配置して設けてあり、該凹凸部が角材の長手方向に対し傾斜する向きに配置してあり、係合用凸部の角材の長手方向に傾斜する両壁の何れか一方の壁に係止凹溝と係止凸条を設けてなるものであるから、この角材を用いて強度の大きい無垢木材結合パネルを提供できる効果がある。【００３８】
また、本発明無垢木材結合パネルに使用する角材は、角材の前後面を平坦面とし、角材の左右面に係合用凹凸部をその凹部と凸部が角材の長手方向に交互に配置して設けてあり、該凹凸部が角材の長手方向に対し直交する向きに配置してあり、左右面の係合用凸部の両壁の何れか一方の壁に係止凹溝と係止凸条を設けてなるものであるから、簡単な構造の結合パネルを提供できる効果がある。
【図面の簡単な説明】
【００３９】
【図１】本発明無垢木材結合パネルの基本的な実施例１に使用する角材の斜視図。
【図２】図１図示の角材の四面の正面図。
【図３】パネルの表面になる角材の表面を平坦にした実施例１ａの分解斜視図。
【図４】平坦な表面板を装着する実施例１ｂの分解斜視図。
【図５】表面板の別の実施例の斜視図。
【図６】表面板のさらに別の実施例の斜視図。
【図７】本発明無垢木材結合パネルの別の実施例２に使用する角材の斜視図。
【図８】図７図示の角材の四面の正面図。
【図９】パネルの表面になる角材の表面を平坦にした実施例２ａの分解斜視図。
【図１０】平坦な表面板を装着する実施例２ｂの分解斜視図。
【図１１】パネルの表面になる角材の表面を平坦にした実施例２ｃの分解斜視図。
【図１２】平坦な表面板を装着する実施例２ｄの分解斜視図。
【図１３】実施例２ｃ，２ｄの角材の直交を示す正面図。
【図１４】本発明無垢木材結合パネルのまた別の実施例３に使用する角材の斜視図。
【図１５】図１４図示の角材の四面の正面図。
【図１６】パネルの表面になる角材の表面を平坦にした実施例３ａの分解斜視図。
【図１７】平坦な表面板を装着する実施例３ｂの分解斜視図。
【図１８】パネルの表面になる角材の表面を平坦にした実施例３ｃの分解斜視図。
【図１９】平坦な表面板を装着する実施例３ｄの分解斜視図。
【図２０】実施例３ｃ，３ｄの角材の直交を示す正面図。
【図２１】実施例１の角材と実施例２の角材を結合する実施例４でパネルの表面を平坦にした実施例４ａの分解斜視図。
【図２２】実施例１の角材と実施例２の角材を結合する実施例４で平坦な表面板を装着する実施例４ｂの分解斜視図。
【図２３】実施例４ａ，４ｂの角材の交差を示す正面図。
【図２４】実施例１の角材と実施例３の角材を結合する実施例５でパネルの表面を平坦にした実施例５ａの分解斜視図。
【図２５】実施例１の角材と実施例３の角材を結合する実施例５で平坦な表面板を装着する実施例５ｂの分解斜視図。
【図２６】実施例５ａ，５ｂの角材の交差を示す正面図。
【図２７】本発明無垢木材結合パネルのさらに別の実施例６に使用する角材の斜視図。
【図２８】図２７図示の角材の四面の正面図。
【図２９】実施例６のパネルの斜視図。
【符号の説明】
【００４０】
１，１１，２１，３１    角材本体
２，１２，２２，３２    係合用凹部
３，１３，２３，３３    係合用凸部
４，１４，２４，３４    壁
５，１５，２５，３５    係止凹溝
６，１６，２６，３６    係止凸条
４１    楔
４２    空所
４３    楔部材
４５    表面用小幅板
４６    表面
４７    係合用凹部
４８    係合用凸部
４９    係止凸条
【発明を実施するための最良の形態】
【００４１】
本発明の無垢木材結合パネル及びこの無垢木材結合パネルに使用する角材の詳細について、以下に示す好ましいいくつかの実施例により詳細に説明する。
【実施例１】
【００４２】
図１及び図２に本発明の基本的な実施例である無垢木材結合パネルに使用する角材を示してある。図示して実施例では正方形の角材を示してあるが、長方形の角材であってもよい。
図中符号１が角材本体で、図２に角材本体の各面の正面を示してあり、前面をＡ、左側面をＢ、後面をＣ、右側面をＤで示してある。各表面Ａ，Ｂ，Ｃ，Ｄにはそれぞれ係合用凹凸部２，３をその凹部２と凸部３が角材１の長手方向に交互に連続して角材の幅一杯に形成して設けてあり、しかも、この係合用凹凸部２，３が角材１の長手方向に対し、直交する向きに配置してある。これら凹部２と凸部３の角材本体１の長手方向の寸法は、凸部３より凹部２の寸法を大きくしてある。即ち、凹部２の寸法Ｄの方が凸部３の寸法ｄより大きくしてあり、凸部３が隣れる角材１の凹部２に余裕をもって嵌め合うことができるようにしてある。
上記係合用凸部３の角材１の長手方向に直交する壁４，４の何れか一方の壁４に係止凹溝５と係止凸条６を設けてある。図示した実施例では、角材本体１を起立させた場合、前面Ａ及び左側面Ｂの係止凹溝５と係止凸条６を係合用凸部３の上側の壁４に形成してあり、右側面Ｄ及び後面Ｃの係止凹溝５と係止凸条６を係合用凸部３の下側の壁４に形成してある。【００４３】
上記の通りの構成からなる角材本体１を使用して無垢木材結合パネルを結合構成するには次の通りである。
即ち、上記各表面に係合用凹凸部２，３を形成した多くの角材１を用意し、これらの角材１を前後並びに左右に並べて配置する。この際角材１の前面Ａと後面Ｃ並びに左右側面Ｂ，Ｄの係合用凸部３の係止凹溝５と係止凸条６がそれぞれ上下逆位置に配置されるから、それぞれの係合用凹凸部２，３を嵌め合わせると、対応する係合用凸部３の係止凹溝５と係止凸条６が係合する位置関係になる。ここで、係合用凹部２と係合用凸部３の寸法を凹部２が凸部３より大きくしてあるから、上記係止凹溝５と係止凸条６を係合させると、これら係合位置と反対側の壁４側に空所４２が形成される。そこで、この空所４２内に楔４１を打ち込めば、各角材同士は強固に結合される。
このようにして、前後及び／又は左右に連結結合すると、強度の高い無垢木材結合パネルが構成される。また、上記の結合組合わせによると、前後又は左右に組み合わされた角材の空所位置が一致するから、貫通する楔４１を打ち込むことができる。【００４４】
楔４１は、一対の楔部材４３が摺動することにより楔が拡がって結合力が高まるものがよく、図面に示した実施例では、一対の楔部材が摺動する面を鋸歯状に形成してあり、鋸歯状の凹凸部が一致している状態から一対の楔部材４３を摺動することにより楔の厚みが拡大し、大きい楔作用を得ることができる。
図３に示す実施例１ａでは、角材の長手方向に直交する係合用凹凸部を交互に配置した角材本体１を用いて前後、左右に結合した無垢木材結合パネルにおいて、最も表面に位置する角材１の表面の係合用凹凸部を設けない角材を用い、表面が平坦な無垢木材結合パネルの例を示してある。この場合、その平坦な表面に係止凹溝５と係止凸条６の係止模様及び楔の入った空所４２の模様が表れるが、これはそのままでもよいし、これら模様が気になる場合には、表面に壁紙等の装飾板を張り合わせればよい。【００４５】
次に、図４には、無垢木材結合パネルの表面に表面が平坦な表面用小幅板を設け、この表面用小幅板を結合させた実施例１ｂが示してある。
図中符号４５が表面用小幅板で、この表面用小幅板４５は、表面４６を平坦にし、裏面に小幅板の長手方向に沿う係合用凹凸部４７，４８を設け、係合用凸部４８に係止凸条４９を設けてある。そして、この表面用小幅板４５の裏面の係合用凸部４８を角材を用いて結合した結合パネルの表面の係合用凹部２に嵌め合い、その係止凸条４９を角材１の係止凹溝５に係合し、上記同様に楔４１を用いて結合する。
そして多数の表面用小幅板４５を平行に配置して平坦な表面となすことができる。【００４６】
図５に表面用小幅板４５の別の実施例を示してある。この実施例では、表面４６を平坦にした小幅板４５の裏面に小幅板の長手方向に沿う２条の係合用凹部４７と２条の係合用凸部４８を設けてある。従ってこの実施例は、図４に示した表面用小幅板４５の実施例の２倍の幅を有するものである。
次に、図６に表面用小幅板４５のまた別の実施例を示してある。この実施例は、小幅板の長手方向に直交させて係合用凹部４７と係合用凸部４８を交互に連続させて設けてある。そして係止用凸部４７の片側壁に係止凸条４９を設けてある。
従って、この表面用小幅板４５を上記結合パネルの前面の角材１の正面の係合用凹凸部に嵌め合わせ、楔によりこの表面用小幅板をパネル正面に装着できる。
【実施例２】
【００４７】
図７及び図８に本発明の別の実施例２である無垢木材結合パネルに使用する角材を示してある。図示した実施例２では略長方形の角材を示してあるが、正方形の角材であってもよい。
図中符号１１が角材本体で、図８に角材本体１１の各面の正面を示してある。前面をＡ、左側面をＢ、後面をＣ、右側面をＤで示してある。各表面Ａ，Ｂ，Ｃ，Ｄにはそれぞれ係合用凹凸部１２，１３をその凹部１２と凸部１３が角材１１の長手方向に交互に連続して角材１１の幅一杯に形成して設けてある。この実施例２では、その前後面Ａ，Ｃの係合用凹凸部１２，１３が角材１１の長手方向に対し、傾斜する向きに配置してあり、この傾斜は４５度が好ましい。そして前面Ａと後面Ｃの係合用凹凸部１２，１３の傾斜の向きは、正面から見ると図８に示す通り逆向きの傾斜となる。
次に角材本体１１の左右側面Ｂ，Ｄの係合用凹凸部１２，１３は角材本体１１の長手方向に対し、直交する向きに配置してある。
これら係合用凹凸部１２，１３の角材本体１１の長手方向の寸法は凹部１２の寸法が凸部１３の寸法より大きくしてあることは，上記実施例１と同様である。
上記角材本体１１に対して傾斜する又は直交する係合用凹凸部１２，１３の何れにあっても、その係合用凹凸部の傾斜又は直交する壁１４の何れか一方の壁１４に係止凹溝１５と係止凸条１６を設けてある。図示した実施例２では、角材本体１１を起立した場合、前面Ａ及び右側面Ｄの係止凹部１５と係止凸条１６を係合用凸部１２の上側の壁１４に形成してあり、左側面Ｂ及び後面Ｃの係止凹溝１５と係止凸条１６を係合用凸部１２の下側の壁１４に形成してある。【００４８】
上記の構成からなる角材本体１１を使用して無垢木材結合パネルの実施例２を結合構成するには次の通りである。
上記各表面に係合用凹凸部１２，１３を形成した多くの角材１１を用意し、これらの角材１１の前後左右位置を揃えて、前後並びに左右に並べて配置する。この際角材本体１１の前面Ａと後面Ｃ並びに左右側面Ｂ，Ｄの係合用凸部１３の係止凹溝１５と係止凸条１６がそれぞれ上下逆位置に配置されるから、それぞれの係合用凹凸部１２，１３を嵌め合わせると、対応する係合用凸部１３の係止凹溝１５と係止凸条１６が係合する位置関係になる。ここで係合用凹部１２と係合用凸部１３の寸法を凹部１２が凸部１３より大きくしてあるから、上記係止凹溝１５と係止凸条１６を係合させると、これら係合位置と反対側の壁１４側に空所４２が形成される。そこで、この空所４２に楔４１を打ち込めば、各角材同士は強固に結合される。【００４９】
図９に示した実施例２ａでは、最も表面に位置する角材本体１１の前面の係合用凹凸部を設けない角材を用い、表面が平坦な無垢木材結合パネルの例を示してある。この場合、平坦な表面に係止凹溝１５と係止凸条１６の係止模様及び楔の入った空所４２の模様が表れるが、これはそのままでもよいし、この表面に装飾板を貼合してもよい
次に、図１０に図４で示した実施例１ｂと同様、表面用小幅板４５を結合させた実施例２ｂが示してある。この表面用小幅板４５の結合パネルの結合は、図４に示した実施例と同様である。【００５０】
図１１及び図１２には、図７及び図８に示した角材本体１１を左右方向に並べて結合した結合パネルによりブロックを構成し、このブロックを角材本体１１が直交する向きに前後に配置して、前後面の傾斜する係合用凹凸部１２，１３を互いに対応する係合用凹部１２と係合用凸部１３とを嵌め合い、これら係合用凸部１３の係止凸条１６を対応する係合用凸部１３の係止凹溝１５に係合し、上記各実施例同様に楔４１を用いて結合したものである。
この直交する係合状態を図１３に示してある。図に示す通り角材本体１１の前面Ａに設けられた傾斜する係合用凹凸部１２，１３に対し前方に位置付けた角材本体１１の後面Ｃの傾斜する係合用凹凸部１２，１３が嵌め合わされることになる。【００５１】
図１１に示した実施例２ｃでは、最も表面に位置する角材本体１１の前面の係合用凹凸部を設けない角材を用い、表面が平坦な無垢木材結合パネルの例を示してある。この場合、平坦な表面に係止凹溝１５と係止凸条１６の係止模様及び楔の入った空所４２の模様が表れるが、これはそのままでもよいし、この表面に装飾板を貼合してもよい
次に、図１２に図４及び図１０に示した実施例と同様、表面小幅板４５を結合させた実施例２ｄを示してある。この表面用小幅板４５の結合パネルの結合は、図４及び図１０に示した実施例と同様である。
【実施例３】
【００５２】
図１４及び図１５に本発明のさらに別の実施例３である無垢木材結合パネルに使用する角材を示してある。
図中符号２１が角材本体で、図１５に角材本体２１の各面の正面を示してある。前面をＡ、左側面をＢ、後面をＣ、右側面をＤで示してある。各表面Ａ，Ｂ，Ｃ，Ｄにはそれぞれ係合用凹凸部２２，２３をその凹部２２と凸部２３が角材２１の長手方向に交互に連続して角材２１の幅一杯に形成して設けてある。この実施例３では、その全ての面Ａ，Ｂ，Ｃ，Ｄの係合用凹凸部２２，２３が角材２１の長手方向に対し、傾斜する向きに配置してあり、この傾斜は４５度が好ましい。そして、前面Ａと後面Ｃ及び左右側面ＢとＤの係合用凹凸部２２，２３の傾斜の向きは、正面から見ると図１５に示す通り逆向きの傾斜となる。
これら係合用凹凸部２２，２３の角材本体２１の長手方向の寸法は凹部２２の寸法が凸部２３の寸法より大きくしてあることは，上記実施例１及び実施例２と同様である。
上記角材本体２１に対して傾斜する係合用凹凸部２２，２３の何れにあっても、その係合用凹凸部の傾斜する壁２４の何れか一方の壁２４に係止凹溝２５と係止凸条２６を設けてある。図示した実施例３では、角材本体２１を起立した場合前面Ａ及び右側面Ｄの係止凹部２５と係止凸条２６を係合用凸部２２の上側の壁２４に形成してあり、左側面Ｂ及び後面Ｃの係止凹溝２５と係止凸条２６を係合用凸部２２の下側の壁２４に形成してある。【００５３】
上記の構成からなる角材本体２１を使用して無垢木材結合パネルの実施例３を結合構成するには次の通りである。
上記各表面に係合用凹凸部２２，２３を形成した多くの角材２１を用意し、これらの角材２１の前後左右位置を揃えて、前後並びに左右に並べて配置する。この際角材本体２１の前面Ａと後面Ｃ並びに左右側面Ｂ，Ｄの係合用凸部２３の係止凹溝２５と係止凸条２６がそれぞれ上下逆位置に配置されるから、それぞれの係合用凹凸部２２，２３を嵌め合わせると、対応する係合用凸部２３の係止凹溝２５と係止凸条２６が係合する位置関係になる。ここで係合用凹部２２と係合用凸部２３の寸法を凹部２２が凸部２３より大きくしてあるから、上記係止凹溝２５と係止凸条２６を係合させると、これら係合位置と反対側の壁２４側に空所４２が形成される。そこで、この空所４２に楔４１を打ち込めば、各角材同士は強固に結合される。【００５４】
図１６に示した実施例３ａでは、最も表面に位置する角材本体２１の前面の係合用凹凸部を設けない角材を用い、表面が平坦な無垢木材結合パネルの例を示してある。この場合、平坦な表面に係止凹溝２５と係止凸条２６の係止模様及び楔の入った空所４２の模様が表れるが、これはそのままでもよいし、この表面に装飾板を貼合してもよい
次に、図１７に図４及び図１０で示した実施例１ｂ，２ｂと同様、表面用小幅板４５を結合させた実施例３ｂが示してある。この表面用小幅板４５の結合パネルの結合は、図４及び図１０に示した実施例と同様である。【００５５】
図１８及び図１９には、図１４及び図１５に示した角材本体２１を左右方向に並べて結合した結合パネルによりブロックを構成し、このブロックを角材本体２１が直交する向きに前後に配置して、前後面の傾斜する係合用凹凸部２２，２３を互いに対応する係合用凹部２２と係合用凸部２３とを嵌め合い、これら係合用凸部２３の係止凸条２６を対応する係合用凸部２３の係止凹溝２５に係合し、上記各実施例同様に楔４１を用いて結合したものである。
この直交する係合状態を図２０に示してある。図に示す通り角材本体２１の前面Ａに設けられた傾斜する係合用凹凸部２２，２３に対し前方に位置付けた角材本体２１の前面Ａの傾斜する係合用凹凸部２２，２３が嵌め合わされることになる。【００５６】
図１８に示した実施例３ｃでは、最も表面に位置する角材本体２１の前面の係合用凹凸部を設けない角材を用い、表面が平坦な無垢木材結合パネルの例を示してある。この場合、平坦な表面に係止凹溝２５と係止凸条２６の係止模様及び空所４２の模様が表れるが、これはそのままでもよいし、この表面に装飾板を貼合してもよい
次に、図１９に図４及び図１０に示した実施例と同様、表面小幅板４５を結合させた実施例３ｄを示してある。この表面用小幅板４５の結合パネルの結合は、図４及び図１０に示した実施例と同様である。
【実施例４】
【００５７】
図２１及び図２２に本発明のまた別の実施例４ａ，４ｂを示してある。この実施例では図１及び図２に示した角材本体１と、図７及び図８に示した角材本体１１とを組み合せて構成した無垢木材結合パネルの実施例４ａ，４ｂを示してある。この実施例では角材本体１の各表面にそれぞれ係合用凹凸部２，３をその凹部２と凸部３が角材の長手方向に交互に連続して角材の長手方向に直交して角材の幅一杯に形成した角材本体１を多数用意し、これらの角材本体１を左右に並べて結合してブロックを構成する。
同じく角材本体１１の前後面Ａ，Ｃの結合用凹凸部１２，１３を角材１１の長手方向に対し傾斜する向きに配置し、左右側面Ｂ，Ｄの係合用凹凸部１２，１３は角材本体の長手方向に対し直交する向きに配置した角材本体１１を多数用意し、これらの角材本体１１を左右に並べて結合してブロックを構成する。
そして、図２１，２２に示す通り、角材本体１によって構成したブロックに対し，角材本体１１によって構成したブロックを前後に配置して、角材本体１の係合凹凸部２，３と角材本体１１の後面の凹凸部１２，１３とを互いに対応する凹凸部を嵌め合い、各実施例と同様楔４１を用いて結合する。これらの結合は図２３に示す通り角材本体１と角材本体１１とは４５度に交差して結合される。【００５８】
図２１に示した実施例４ａでは、最も表面に位置する角材本体１１の前面の係合用凹凸部を設けない角材を用い、表面が平坦な無垢木材結合パネルの例を示してある。この場合平坦な表面に係止凹溝１５と係止凸条１６の係止模様及び楔の入った空所４２の模様が表れるが、これはこのままでもよいし、この表面に装飾板を貼合してもよい。
次に、図２２に図４及び図１０に示した実施例と同様、表面小幅板４５を結合させた実施例４ｂを示してある。この表面用小幅板４５の結合パネルの結合は図４及び図１０に示した実施例と同様である。
【実施例５】
【００５９】
図２４及び図２５に本発明のさらに別の実施例５ａ，５ｂを示してある。この実施例では図１及び図２に示した角材本体１と図１４及び図１５に示した角材本体２１とを組み合せて構成した無垢木材結合パネルの実施例５ａ，５ｂを示してある。この実施例では，角材本体１の各表面にそれぞれ係合用凹凸部２，３をその凹部２と凸部３が角材の長手方向に交互に連続して角材の長手方向に直交して角材の幅一杯に形成した角材本体１を多数用意し、これらの角材本体１を左右に並べて結合してブロックを構成する。
同じく角材２１の全表面Ａ，Ｂ，Ｃ，Ｄの係合用凹凸部２２，２３を角材２１の長手方向に対し、傾斜する向きに配置した角材本体２１を多数用意し、これらの角材本体２１を左右に並べて結合してブロックを構成してある。
そして、図２４，２５に示す通り角材本体１によって構成したブロックに対し、角材本体２１によって構成したブロックを前後に配置して、角材本体１の係止凹凸部２，３と角材本体２１の後面の凹凸部２２，２３を互いに対応する凹凸部を嵌め合い、各実施例と同様楔４１を用いて結合する。これらの結合は図２６に示す通り角材本体１と角材本体２１とは、４５度に交差して結合される。【００６０】
図２４に示した実施例５ａでは、最も表面に位置する角材本体２１の前面の係合用凹凸部を設けない角材を用い、表面が平坦な無垢木材結合パネルの例を示してある。この場合平坦な表面に係止凹溝２５と係止凸条２６の係止模様及び楔の入った空所４２の模様が表れるが、これはこのままでもよいし、この表面に装飾板を貼合してもよい。
次に、図２５に図４及び図１０に示した実施例と同様、表面小幅板４５を結合させた実施例５ｂを示してある。この表面用小幅板４５の結合パネルの結合は図４及び図１０に示した実施例と同様である。
【実施例６】
【００６１】
図２７に角材本体３１の前後Ａ，Ｃを平坦面とし、角材本体３１の左右側面Ｂ，Ｄに係合用凹凸部３２，３３をその凹部３２と凸部３３が角材の長手方向に交互に配置し、該凹凸部３２，３３が角材の長手方向に対し直交する向きに配置した実施例６を示してある。  図２７及び図２８に示すように角材本体３１の左右側面の係合用凸部３３の壁３４の何れか一方の壁に係止凹溝３５と係止凸条３６を設けてある。図示した実施例６では、右側面の係合用凸部３３の上側の壁３４に係止凹溝３５と係止凸条３６を形成してあり、左側面の係合用凸部３３の下側の壁３４に係止凹溝３５と係止凸条３６を形成して構成してある。【００６２】
上記の構成からなる角材本体３１を使用して無垢木材結合パネルの実施例６を結合構成するには次の通りである。
上記角材本体３１を多数用意し、これらの角材本体３１を左右に揃えて配置する。この際、角材本体３１の左右側面Ｂ，Ｄの係合用凸部３３の係止凹溝３５と係止凸条３６がそれぞれ上下逆位置に配置されるから、それぞれの係合用凹凸部３２，３３を嵌め合わせると、対応する係合用凸部３３の係止凹溝３５と係止凸条３６が係合する位置関係になる。ここで、係合用凹部３２と係合用凸部３３の寸法を凹部３２が凸部３３より大きくしてあるから、上記係止凹溝３５と係止凸条３６を係合させると、これら係合位置と反対側の壁３４に空所４２が形成される。そこでこの空所４２に楔４１を打ち込めば各角材同士は強固に結合され，無垢木材結合パネルとなる。
【図１】
2006040795.tif 000002
【図２】
2006040795.tif 000003
【図３】
2006040795.tif 000004
【図４】
2006040795.tif 000005
【図５】
2006040795.tif 000006
【図６】
2006040795.tif 000007
【図７】
2006040795.tif 000008
【図８】
2006040795.tif 000009
【図９】
2006040795.tif 000010
【図１０】
2006040795.tif 000011
【図１１】
2006040795.tif 000012
【図１２】
2006040795.tif 000013
【図１３】
2006040795.tif 000014
【図１４】
2006040795.tif 000015
【図１５】
2006040795.tif 000016
【図１６】
2006040795.tif 000017
【図１７】
2006040795.tif 000018
【図１８】
2006040795.tif 000019
【図１９】
2006040795.tif 000020
【図２０】
2006040795.tif 000021
【図２１】
2006040795.tif 000022
【図２２】
2006040795.tif 000023
【図２３】
2006040795.tif 000024
【図２４】
2006040795.tif 000025
【図２５】
2006040795.tif 000026
【図２６】
2006040795.tif 000027
【図２７】
2006040795.tif 000028
【図２８】
2006040795.tif 000029
【図２９】
2006040795.tif 000030
【国際調査報告】
2006040795.tif 000031
2006040795.tif 000032
2006040795.tif 000033
2006040795.tif 000034